(57)【特許請求の範囲】
【請求項１】
タイムレコーダ本体の上部に形成された挿入口から挿入されたタイムカードを内部のカード通路に沿って所定の位置に送ってプリンタで印字するタイムレコーダにおいて、
上記カード通路のうち上記プリンタの下方のカード通路を、タイムレコーダ本体の下部背面壁とこの下部背面壁の背面側に着脱自在に設けられた背面プレートとの間に形成し、
上記挿入口から挿入された異物を上記背面プレートをはずして除去することを特徴とするタイムレコーダ。
【発明の詳細な説明】
【０００１】
【発明の属する技術分野】
本発明は内部の詰まりを解除することができるタイムレコーダに関する。
【０００２】
【従来技術】
一般にタイムレコーダの上端部には挿入口が形成されている。この挿入口にはタイムカードしか挿入されることはないが、誤って名刺状の紙やメモ書きなどが挿入されることがある。通常はカード挿入口の内部下方にはタイムカードに印字するプリンターが配置され、プリンターにはインクリボンが設けられているので、インクリボンを取り外すことにより得られる空間から異物を除去することができる。
【０００３】
【発明が解決しようとする課題】
しかしながら、上記異物がさらに下方に送り込まれ、上記空間からでは取り外すことのできない場合には、タイムレコーダ本体ケースや基板を取り外さなければならない。ユーザーがこのような取り外し作業をすると、故障原因となるほか、感電等の危険があった。
【０００４】
本発明は上記欠点を解消し、だれでも簡単かつ確実に異物を除去することができるタイムレコーダを提供することをその課題とする。
【０００５】
【課題を解決するための手段】
前記課題を解決するため、本発明に係るタイムレコーダは、タイムレコーダ本体の上部に形成された挿入口から挿入されたタイムカードを内部のカード通路に沿って所定の位置に送ってプリンタで印字するタイムレコーダにおいて、上記カード通路のうち上記プリンタの下方のカード通路を、タイムレコーダ本体の下部背面壁とこの下部背面壁の背面側に着脱自在に設けられた背面プレートとの間に形成し、上記挿入口から挿入された異物を上記背面プレートをはずして除去することを特徴とする。
【０００６】
【発明の実施の形態】
図１（ａ）（ｂ）はそれぞれタイムレコーダの正面側と背面側からの斜視図で、このタイムレコーダは図２にも示すように、タイムレコーダ本体１の上部にタイムカードの挿入口２を形成し、中央部に上記挿入口２から挿入されたタイムカード３をカード通路４に沿って所定の位置に送る一対の送りローラ５を設けたもので、挿入口２からタイムカード３を挿入すると、送りローラ５の近傍の第１のセンサー６でタイムカード３が挿入されたことを検出し、送りローラ５が回転してタイムカード３を下方に送り込み、第２のセンサー７でタイムカード３の下端を検出すると、送りローラ５が月日に応じて所定の位置まで上動させ、プリンタ８がタイムカード３の所定の欄に日付、出退勤時刻等を印字し、さらに印字後タイムカード３を再び送りローラ５によって挿入口２から出すように構成されている。
【０００７】
ところで、タイムレコーダ本体１の背面壁の一部はカード通路４を構成しており、この背面壁９は上部背面壁９ａとこれより内側にセットバックした下部背面壁９ｂとから構成され、両背面壁９ａ、９ｂの間に送りローラ５が配置されている。そして、図２及び図３に示されるように、上記タイムカード３のカード通路４は送りローラ５をはさんで異なる構成となっており、送りローラ５の下方はタイムレコーダ本体１の下部背面壁９ｂと背面プレート１０との間に形成されている。１０ａは背面プレート１０に突出形成されたガイド片である。
【０００８】
カード通路４に臨む背面プレート１０の上部の左右両側には三角形状の差込片１１が形成され、タイムレコーダ本体１の背面には上記差込片１１の差込溝１２が下方に開口形成されている。背面プレート１０は差込片１１をタイムレコーダ本体１の差込溝１２に下から挿入し、さらにネジ１３を背面プレート１０の中央孔１４から挿通してタイムレコーダ本体１のネジ孔１５にねじ込むことによって装着され、逆にネジ１３を外し、引き降ろすことによりタイムレコーダ本体１から取り外すことができるように構成されている。
【０００９】
なお、上記背面プレート１０の上部には一対の壁掛け用取付孔１６が形成されている。
【００１０】
上記構成において、挿入口２からタイムカード３以外の異物１７が入った場合、異物１７が送りローラ５よりも上方にあるときは、プリンタ８のインクリボンカセット（図示せず）を取り外し、その空間から除去すればよい。これに対し、異物１７が第１のセンサー６で感知されて送りローラ５によりカード通路４の下方に送り込まれてしまったようなときは、異物１７は下部背面壁９ｂの裏側のカード通路４内にあるから、図３のようにして背面プレート１０を外すことにより異物１７が露出し、簡単かつ確実に除去することができる。
【００１１】
背面プレート１０は上部背面壁９ａと下部背面壁９ｂの裏側に配置され、背面プレート１０を取り外しても、タイムレコーダを構成する基板等の部品は外部に露出することはないので、故障原因とならないほか、人体にも安全である。
【００１２】
次に、上記タイムレコーダは通常は台の上に載置して使用されるが、図４のように背面プレート１０を取り外して一対の壁掛け用取付孔１６から挿通したネジ１８で適宜の壁面に固定すれば、背面プレート１０にタイムレコーダ本体１を上述の要領で取り付けることができるので、壁掛け用のタイムレコーダとすることができる。
【００１３】
この場合は、タイムレコーダ本体１が背面プレート１０に対して着脱可能な状態となるので、挿入口２から異物が入ったときは、タイムレコーダ本体１を外すことにより上述と同様にして簡単に除去することができる。
【００１４】
なお、背面プレートに設ける壁掛け用の手段としては、上述のような取付孔に限定されない。例えば、壁に取り付け固定されるフックに対応して背面壁に形成された係止溝であってもよく、逆にフックを壁掛け用の手段としてもよい。
【００１５】
また、図５は上述のような送りローラのないタイムレコーダで、この例においてタイムレコーダ本体１の底部にはストッパ１８とカードセンサー１９が設けられ、ストッパ１８は図示しない機構により日付が変わるにつれて上下動するように構成されている。挿入口２からカード通路４に沿ってタイムカード３を挿入すると、その下端が上記ストッパ１８に当たって停止したときセンサー１９がタイムカード３が所定の位置まで挿入されたことを検出して印字機構が作動し、印字が行なわれるのである。
【００１６】
上記構成においても、タイムレコーダ本体１の背面側には、カード通路４に臨む背面プレート１０が着脱自在に設けられ、上記挿入口２から異物１７が挿入されたときは、上記背面プレート１０を外して除去することができる。
【図面の簡単な説明】
【図１】（ａ）（ｂ）は本発明に係るタイムレコーダの正面側と背面側から見た斜視図
【図２】上記タイムレコーダの異物除去機構の要部の断面図
【図３】背面プレートを取り外した状態の斜視図
【図４】上記タイムレコーダを壁掛けにする場合の説明図
【図５】タイムレコーダの他の例を示す断面図
【符号の説明】
１  タイムレコーダ本体
２  挿入口
３  タイムカード
４  カード通路
５  送りローラ
１０  背面プレート
１７  異物
【図１】
0003624555.tif 000002
【図２】
0003624555.tif 000003
【図３】
0003624555.tif 000004
【図４】
0003624555.tif 000005
【図５】
0003624555.tif 000006